(57)【要約】      （修正有）【課題】ケーブルを隠すことが可能な、パネルに装着されるソケットパネルを提供する。【解決手段】本ソケットパネル１００は、開口部２０１が形成されるパネル２０と信号変換器とを備える。前記信号変換器が、変換板と、前記変換板に取り付けられ、前記変換板によって信号を変換可能な第１コネクタ及び第２コネクタとを有する。前記第１コネクタには、前記パネルの開口部内に配置され、第１相手プラグに挿入するための挿入口１０６が形成される。前記第２コネクタには、壁に隠され、第２相手プラグに挿入するための保持スペースが形成される。【選択図】図１
0003170962.tif 000002
【実用新案登録請求の範囲】
【請求項１】
開口部が形成されるパネルと、
信号変換器と、を備え、
前記信号変換器が、変換板と、前記変換板に取り付けられ、前記変換板によって信号を変換可能な第１コネクタ及び第２コネクタと、を有し、
前記第１コネクタには、前記パネルの開口部内に配置され、第１相手プラグを挿入させるための挿入口が形成され、
前記第２コネクタには、壁に隠され、第２相手プラグを挿入させるための保持スペースが形成されることを特徴とするソケットパネル。
【請求項２】
前記第１コネクタは、Ｄｉｉｖａ（Ｄｉｇｉｔａｌ  Ｉｎｔｅｒａｃｔｉｖｅ  Ｉｎｔｅｒｆａｃｅ  ｆｏｒ  Ｖｉｄｅｏ  ＆  Ａｕｄｉｏ）ソケットコネクタ、或いはＨＤＭｉ（Ｈｉｇｈ  Ｄｅｆｉｎｉｔｉｏｎ  Ｍｕｌｔｉｍｅｄｉａ  Ｉｎｔｅｒｆａｃｅ）ソケットコネクタ、或いはＤｉｓｐｌａｙ  Ｐｏｒｔソケットコネクタであることを特徴とする請求項１に記載のソケットパネル。
【請求項３】
前記第２コネクタが、ベースと、前記ベースに固着される複数の第２端子と、前記保持スペースに設けられる階段部と、を有し、前記保持スペースが、前記ベースの一端から他端側へ窪み、前記第２端子が前記階段部から延出して前記保持スペースに露出される接触部を有することを特徴とする請求項１又は２に記載のソケットパネル。
【請求項４】
前記階段部は、第１階段部と、前記第１階段部より下向きに突出する第２階段部と、を有し、前記第２端子の第２接触部が前記第２階段部の下表面から前記保持スペースに突出することを特徴とする請求項３に記載のソケットパネル。
【請求項５】
前記第２コネクタのベースが、複数のリブと、隣接する複数のリブの間に形成される複数のスロットと、を有し、各第２端子が、前記スロットに固着される第２固持部と、第２尾部と、を備え、前記第２接触部と第２固持部とが、前記第２固持部から下向きに延在することを特徴とする請求項３又は４に記載のソケットパネル。
【請求項６】
前記パネルが壁に取り付けられ、前記第１コネクタが、絶縁性本体と、前記絶縁性本体に固着される複数の第１端子と、前記第１端子を防護するハウジングと、を有し、前記挿入口が前記ハウジングによって包囲され、前記各第１端子の第１尾部と第２端子の第２尾部とが、前記変換板に、押圧される、或いはＳＭＴ（Ｓｕｒｆａｃｅ  Ｍｏｕｎｔ  Ｔｅｃｈｎｏｌｏｇｙ）の方法で、或いはＴＨＴ（Ｔｈｒｏｕｇｈ  Ｈｏｌｅ  Ｔｅｃｈｎｏｌｏｇｙ）の方法で、固着されることを特徴とする請求項３から５の何れか一項に記載のソケットパネル。
【請求項７】
前記第１コネクタの上端と下端とはそれぞれ、前記変換板の上端と下端より突出し、前記信号変換器は、前記第１コネクタと第２コネクタと前記変換板とを被覆する被覆部材を備えることを特徴とする請求項１から６の何れか一項に記載のソケットパネル。
【考案の詳細な説明】
【技術分野】
【０００１】
本考案は、ソケットパネルに関し、特に、コネクタをパネルに固着するためのソケットパネルに関するものである。
【背景技術】
【０００２】
ＨＤＭＩ，ＤｉｓｐｌａｙＰｏｒｔ，Ｄｉｉｖａ（Ｄｉｇｉｔａｌ  Ｉｎｔｅｒａｃｔｉｖｅ  Ｉｎｔｅｒｆａｃｅ  ｆｏｒ  Ｖｉｄｅｏ  ＆  Ａｕｄｉｏ）のようなＤｉｇｉｔａｌポートが、電子部品に用いられる。これらのＤｉｇｉｔａｌポートのコネクタが、壁の外側に装着される。これらのＤｉｇｉｔａｌポートのコネクタの導線は、壁の外表面に配置される。
【先行技術文献】
【特許文献】
【０００３】
【特許文献１】台湾特許第Ｍ３６２５４８号明細書
【考案の概要】
【考案が解決しようとする課題】
【０００４】
そこで本考案は、上述される従来技術の問題に鑑み、ケーブルを隠すことが可能な、パネルに装着されるソケットパネルを提供することを目的とする。
【課題を解決するための手段】
【０００５】
前記目的を達成するために、本考案のソケットパネルは、開口部が形成されたパネルと、信号変換器と、を備える。前記信号変換器が、変換板と、前記変換板に取り付けられ、前記変換板によって信号を変換可能な第１コネクタ及び第２コネクタと、を有する。前記第１コネクタには、前記パネルの開口部内に配置され、第１相手プラグを挿入させるための挿入口が形成される。前記第２コネクタには、壁に隠され、第２相手プラグを挿入させるための保持スペースが形成される。
【考案の効果】
【０００６】
従来技術と比べると、本考案は、第１コネクタが第１相手プラグと接続することができ、第２コネクタが壁に隠すことができ、ケーブルも壁に隠すことができ、第２コネクタが壁に隠されたケーブルを有する第２相手プラグと接続することができるという効果を奏する。
【図面の簡単な説明】
【０００７】
【図１】本考案のソケットパネルの組立斜視図である。
【図２】図１に示す信号変換器のうちの一部分を分解した分解斜視図である。
【図３】図２に示す信号変換器のうちの一部分を分解した別の視点からの分解斜視図である。
【図４】図３に示す信号変換器の分解斜視図である。
【図５】図３に示す信号変換器の別の視点からの分解斜視図である。
【考案を実施するための形態】
【０００８】
図１〜図５を参照すると、本考案のソケットパネル１００は、開口部２０１が形成されたパネル２０と、前記開口部２０１に装入される信号変換器１０と、ピン（図示せず）と、を備える。
【０００９】
図２〜図５に示すように、前記信号変換器１０は、変換板１０１と、前記変換板１０１に取り付けられる第１コネクタ１０２と、第２コネクタ１０３と、絶縁性材料によって製造される被覆部材１０５と、有する。変換板１０１には複数の挿入孔８が形成される。
【００１０】
前記第１コネクタ１０２は、Ｄｉｉｖａ（Ｄｉｇｉｔａｌ  Ｉｎｔｅｒａｃｔｉｖｅ  Ｉｎｔｅｒｆａｃｅ  ｆｏｒ  Ｖｉｄｅｏ  ＆  Ａｕｄｉｏ）ソケットコネクタ、或いはＨＤＭｉ（Ｈｉｇｈ  Ｄｅｆｉｎｉｔｉｏｎ  Ｍｕｌｔｉｍｅｄｉａ  Ｉｎｔｅｒｆａｃｅ）ソケットコネクタ、或いはＤｉｓｐｌａｙ  Ｐｏｒｔソケットコネクタである。第１コネクタ１０２と第２コネクタ１０３の間には、回路基板１０１によって、信号を変換できる。
【００１１】
前記第１コネクタ１０２には、パネル２０の開口部２０２に対応し、第１相手プラグ（図示せず）を挿入させるための挿入口１０６が形成される。第１コネクタ１０２は、絶縁性本体１と、前記絶縁性本体１に固着される複数の第１端子２と、前記第１端子２を防護するハウジング３と、を備える。前記絶縁性本体１は、基部１１と、前記基部１１の前部から前向きに突出する舌板１２と、を備える。
【００１２】
前記各第１端子２は、第１接触部２１と、第１尾部２３と、前記第１接触部２１と第１尾部２３の間に設けられる第１連接部２２と、を有する。前記第１端子２は、インサート成形によって絶縁性本体１に一体に形成され、或いは絶縁性本体１に取り付けられる。
【００１３】
ハウジング３は、底壁３１と、前記底壁３１と対向する天壁３２と、一対の側壁３３と、を有する。前記底壁３１と天壁３２には、複数の弾性片３５と、第１相手プラグの突出部片（図示せず）と係合するための複数の開口３６とが設けられる。前記底壁３１には、下向きに延在する複数の取付脚３７が設けられる。前記挿入口１０６は、前記壁３１〜３３によって包囲される。ハウジング３の底壁３１には、前記挿入口１０６に向かって窪んで、コネクタ誤挿入が阻止するための凹部３１０が形成される。
【００１４】
前記第２コネクタ１０３は、ベース４と、前記ベース４に固着される複数の第２端子５と、を備える。前記ベース４は、保持部４１と、前記保持部４１の前端面から後方側へ窪む保持スペース４２と、を有する。図３に示すように、前記ベース４の保持スペース４２には、階段部４３が設けられる。前記階段部４３は、第１階段部４３１と、前記第１階段部４３１より下向きに突出する第２階段部４３２と、を有する。前記階段部４３によって、プラグの誤挿入が阻止される。前記ベース４１の後端には、複数のリブ４４と、隣接する複数のリブ４４の間に形成される複数のスロット４５が形成される。
【００１５】
第２端子５は、ヒ字状に形成され、第２固持部５２と、前記第２固持部５２から下向きに延在する第２接触部５１及び前記第２尾部５３と、を有する。
【００１６】
図２〜図５に示すように、第１コネクタ１０２を組み立てる時、先ず、複数の第１端子２を絶縁性本体１に挿入させる。第１端子２の第１接触部２１は、舌板１２に配置され、第１尾部２３が前記絶縁性本体１から後方側に向かって延出する。また、ハウジング３を絶縁性本体１に装着させる。
【００１７】
第２コネクタ１０３を組み立てる時、先ず、複数の第２端子５を前記ベース４に装着させる。第２端子５の第２固持部５２が、前記ベース４のスロット４５に挿入され、第２接触部５１が、第２階段部４３２の下表面から保持スペース４２に向かって突出する。
【００１８】
信号変換器１０を組み立てる時、第１コネクタ１０２及び第２コネクタ１０３を変換板１０１に装着させる。第１コネクタ１０２の第１端子２は、ＳＭＴ（Ｓｕｒｆａｃｅ  Ｍｏｕｎｔ  Ｔｅｃｈｎｏｌｏｇｙ）の方法で、或いはＴＨＴ（Ｔｈｒｏｕｇｈ  Ｈｏｌｅ  Ｔｅｃｈｎｏｌｏｇｙ）の方法で、変換板１０１に固着される。前記変換板１０１の後部には、複数の挿入孔８が形成される。前記第２コネクタ１０３の第２端子５の第２尾部５３は、変換板１０１の挿入孔８に押圧される。他の実施形態において、第２端子５の第２尾部５３が、ＳＭＴの方法で、或いはＴＨＴの方法で、変換板１０１に固着される。第１端子２の第１尾部２３が、変換板１０１に押圧される。前記被覆部材１０５は、前記変換板１０１と、前記第１コネクタ１０２と、前記第２コネクタ１０３と、を被覆する。
【００１９】
前記第１コネクタ１０２の上端と下端とは、前記変換板１０１の上端及び下端よりもそれぞれ突出する。これにより、上下方向において、変換板１０１を開放するスペースを提供する必要がない。
【００２０】
図１に示すように、前記信号変換器１０がパネル２０に取り付けられる。本実施形態において、前記信号変換器１０の前端面が、パネル２０の前端面と面一である。信号変換器１０の挿入口１０６が前記パネル２０の窓口２０２に配置される。ピンが、パネル２０の固定孔２０２と係合する。信号変換器１０がパネル２０に固着する。別の実施形態において、信号変換器１０の前端面が、パネル２０の前端面から突出し、或いはパネル２０の後面に位置する。
【００２１】
第１コネクタ１０２が、第１相手プラグと接続し、第２コネクタ１０３が、壁に隠され、壁に隠されるケーブルを有する第２相手プラグ（図示せず）と接続する。第２コネクタ１０３のケーブルが壁に隠すことができる。又、第１コネクタ１０２と第２コネクタ１０３との間では、変換板１０１によって、信号を変換することができる。
【００２２】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２３】
１００  ソケットパネル
１０  信号変換器
１０１  変換板
１０２  第１コネクタ
１０３  第２コネクタ
１０５  被覆部材
１０６  挿入口
１  絶縁性本体
１１  基部
１２  舌板
２０  パネル
２０１  開口部
２０２  固定孔
２  第１端子
２１  第１接触部
２２  第１連接部
２３  第１尾部
３  ハウジング
３１  底壁
３１０  凹部
３２  頂壁
３３  側壁
３５  弾性片
３６  開口
３７  取付脚
４  ベース
４１  保持部
４２  保持スペース
４３  階段部
４３１  第１階段部
４３２  第２階段部
４４  リブ
４５  スロット
５  第２端子
５１  第１接触部
５２  第２固持部
５３  第２尾部
８  挿入孔
【図１】
0003170962.tif 000003
【図２】
0003170962.tif 000004
【図３】
0003170962.tif 000005
【図４】
0003170962.tif 000006
【図５】
0003170962.tif 000007